(57)【要約】赤外分光法を用いる血糖値測定装置であって、赤外領域のレーザ光を出射する光源と、前記レーザ光を集光するレンズと、前記レンズにより集光された前記レーザ光が入射する光ファイバと、前記光ファイバから出射される前記レーザ光が入射するプリズムと、を具備する血糖値測定装置。
2020158348.tif 000002
【特許請求の範囲】
【請求項１】
赤外分光法を用いる血糖値測定装置であって、
赤外領域のレーザ光を出射する光源と、
前記レーザ光を集光するレンズと、
前記レンズにより集光された前記レーザ光が入射する光ファイバと、
前記光ファイバから出射される前記レーザ光が入射するプリズムと、を具備する血糖値測定装置。
【請求項２】
赤外分光法を用いる血糖値測定装置であって、
赤外領域のレーザ光を出射する光源と、
前記レーザ光を集光するレンズと、
前記レンズにより集光された前記レーザ光が入射するプリズムと、を具備する血糖値測定装置。
【請求項３】
前記レンズの焦点距離は２ｍｍ以上、２０ｍｍ以下である請求項１または請求項２に記載の血糖値測定装置。
【請求項４】
赤外分光法を用いる血糖値測定装置であって、
赤外領域のレーザ光を出射する光源と、
前記レーザ光が入射するプリズムと、を具備し、
前記プリズムの前記レーザ光を反射させる面への前記レーザ光の入射角の下限は臨界角＋３°である血糖値測定装置。
【請求項５】
赤外分光法を用いる血糖値測定装置であって、
赤外領域のレーザ光を出射する光源と、
前記レーザ光が入射し、先端が先細りのテーパ形状である光ファイバと、
前記先端から出射される前記レーザ光が入射するプリズムと、を具備する血糖値測定装置。
【請求項６】
前記光源は量子カスケードレーザである請求項１から請求項５のいずれか一項に記載の血糖値測定装置。
【請求項７】
赤外分光法を用いる血糖値測定方法であって、
被験者にプリズムを接触させるステップと、
集光レンズおよび光ファイバを介して赤外領域のレーザ光を前記プリズムに入射するステップと、
前記プリズムから出射される前記レーザ光を検出するステップと、を有する血糖値測定方法。
【請求項８】
赤外分光法を用いる血糖値測定方法であって、
被験者にプリズムを接触させるステップと、
集光レンズを介して赤外領域のレーザ光を前記プリズムに入射するステップと、
前記プリズムから出射される前記レーザ光を検出するステップと、を有する血糖値測定方法。
【請求項９】
赤外分光法を用いる血糖値測定方法であって、
被験者にプリズムを接触させるステップと、
赤外領域のレーザ光を前記プリズムに入射するステップと、
前記プリズムから出射される前記レーザ光を検出するステップと、を有し、
前記プリズムの前記レーザ光を反射させる面への、前記レーザ光の入射角度の下限は臨界角＋３°である血糖値測定方法。
【請求項１０】
赤外分光法を用いる血糖値測定方法であって、
被験者にプリズムを接触させるステップと、
光ファイバを介して赤外領域のレーザ光を前記プリズムに入射するステップと、
前記プリズムから出射される前記レーザ光を検出するステップと、を有し、
前記光ファイバの先端は先細りのテーパ形状である血糖値測定方法。
【発明の詳細な説明】
【技術分野】
【０００１】
本開示は血糖値測定装置および血糖値測定方法に関するものである。本出願は２０１９年１月３１日出願の日本出願第２０１９−１６２２２号に基づく優先権を主張し、前記に本出願に記載されたすべての記載内容を援用するものである。
【背景技術】
【０００２】
非侵襲の血糖値測定方法として、赤外分光法を用いたものが知られている（特許文献１および２など）。特許文献１では１０２０〜１０４０ｃｍ−１の波長を有する赤外光を用い、特許文献２では近赤外光を用いる。
【先行技術文献】
【特許文献】
【０００３】
【特許文献１】再表２００６／０１１４８７号公報
【特許文献２】特開２０１４−１８４７８号公報
【発明の概要】
【０００４】
本開示に係る血糖値測定装置は、赤外分光法を用いる血糖値測定装置であって、赤外領域のレーザ光を出射する光源と、前記レーザ光を集光するレンズと、前記レンズにより集光された前記レーザ光が入射する光ファイバと、前記光ファイバから出射される前記レーザ光が入射するプリズムと、を具備するものである。
【０００５】
本開示に係る血糖測定装置は、赤外分光法を用いる血糖値測定装置であって、赤外領域のレーザ光を出射する光源と、前記レーザ光を集光するレンズと、前記レンズにより集光された前記レーザ光が入射するプリズムと、を具備するものである。
【０００６】
本開示に係る血糖値測定装置は、赤外分光法を用いる血糖値測定装置であって、赤外領域のレーザ光を出射する光源と、前記レーザ光が入射するプリズムと、を具備し、前記プリズムの前記レーザ光を反射させる面への前記レーザ光の入射角の下限は臨界角＋３°である。
【０００７】
本開示に係る血糖値測定装置は、赤外分光法を用いる血糖値測定装置であって、赤外領域のレーザ光を出射する光源と、前記レーザ光が入射し、先端が先細りのテーパ形状である光ファイバと、前記先端から出射される前記レーザ光が入射するプリズムと、を具備するものである。
【０００８】
本開示に係る血糖値測定方法は、赤外分光法を用いる血糖値測定方法であって、被験者にプリズムを接触させるステップと、集光レンズおよび光ファイバを介して赤外領域のレーザ光を前記プリズムに入射するステップと、前記プリズムから出射される前記レーザ光を検出するステップと、を有するものである。
【０００９】
本開示に係る血糖値測定方法は、赤外分光法を用いる血糖値測定方法であって、被験者にプリズムを接触させるステップと、集光レンズを介して赤外領域のレーザ光を前記プリズムに入射するステップと、前記プリズムから出射される前記レーザ光を検出するステップと、を有するものである。
【００１０】
本開示に係る血糖値測定方法は、赤外分光法を用いる血糖値測定方法であって、被験者にプリズムを接触させるステップと、赤外領域のレーザ光を前記プリズムに入射するステップと、前記プリズムから出射される前記レーザ光を検出するステップと、を有し、前記プリズムの前記レーザ光を反射させる面への、前記レーザ光の入射角度の下限は臨界角＋３°である。
【００１１】
本開示に係る血糖値測定方法は、赤外分光法を用いる血糖値測定方法であって、被験者にプリズムを接触させるステップと、光ファイバを介して赤外領域のレーザ光を前記プリズムに入射するステップと、前記プリズムから出射される前記レーザ光を検出するステップと、を有し、前記光ファイバの先端は先細りのテーパ形状である。
【図面の簡単な説明】
【００１２】
【図１Ａ】図１Ａは実施例１に係る血糖値測定装置を例示する模式図である。
【図１Ｂ】図１Ｂはレンズおよびプリズム付近の拡大図である。
【図１Ｃ】図１Ｃはプリズムの拡大図である。
【図２Ａ】図２Ａは実験を示す図である。
【図２Ｂ】図２Ｂは光の強度を例示する図である。
【図２Ｃ】図２Ｃは半値幅と距離ｄとの関係を示す図である。
【図３Ａ】図３Ａは実施例１の変形例１における光源を例示する図である。
【図３Ｂ】図３Ｂは実施例１の変形例２に係る血糖値測定装置を例示する図である。
【図４Ａ】図４Ａは実施例２に係る血糖値測定装置を例示する模式図である。
【図４Ｂ】図４Ｂはプリズムの拡大図である。
【図５】図５は実施例３における光ファイバおよびプリズムの拡大図である。
【図６Ａ】図６Ａは実験に用いたサンプルを示す図である。
【図６Ｂ】図６Ｂは損失の測定結果を示す図である。
【発明を実施するための形態】
【本開示が解決しようとする課題】
【００１３】
血糖値測定のための装置として、フーリエ赤外分光器（ＦＴＩＲ：Fourier a Transform Infrared Spectrometer）を用いるものがあるが、こうした測定装置は大型かつ高価である。量子カスケードレーザ（ＱＣＬ：Quantum Cascade Laser）などのレーザ光源を用いることで、測定装置をより小型で安価なものとすることができる。しかしながら、レーザ光はコヒーレント光であるため干渉し、ランプの光などに比べて局所的に高い強度を有する。したがって生体内の血糖の分布に影響を受けやすく、測定精度が不十分であった。そこで、測定精度の向上が可能な血糖値測定装置および血糖値測定方法を提供することを目的とする。
【本開示の効果】
【００１４】
本開示によれば、測定精度の向上が可能である。
【００１５】
[本開示の実施形態の説明]
最初に本開示の実施形態の内容を列記して説明する。
【００１６】
本開示の一形態は、（１）赤外分光法を用いる血糖値測定装置であって、赤外領域のレーザ光を出射する光源と、前記レーザ光を集光するレンズと、前記レンズにより集光された前記レーザ光が入射する光ファイバと、前記光ファイバから出射される前記レーザ光が入射するプリズムと、を具備する血糖値測定装置である。レンズを介さない場合に比べて広がったレーザ光をプリズムに入射することができるため、測定精度が向上する。
（２）赤外分光法を用いる血糖値測定装置であって、赤外領域のレーザ光を出射する光源と、前記レーザ光を集光するレンズと、前記レンズにより集光された前記レーザ光が入射するプリズムと、を具備する血糖値測定装置である。レンズを介さない場合に比べて広がったレーザ光をプリズムに入射することができるため、測定精度が向上する。
（３）前記レンズの焦点距離は２ｍｍ以上、２０ｍｍ以下でもよい。これによりレーザ光をより広げることができるため、測定精度が向上する。
（４）赤外分光法を用いる血糖値測定装置であって、赤外領域のレーザ光を出射する光源と、前記レーザ光が入射するプリズムと、を具備し、前記プリズムの前記レーザ光を反射させる面への前記レーザ光の入射角の下限は臨界角＋３°である血糖値測定装置である。プリズム内での反射回数、および光の染み込み深さが増加し、かつ干渉が抑制される。このため測定精度が向上する。
（５）赤外分光法を用いる血糖値測定装置であって、赤外領域のレーザ光を出射する光源と、前記レーザ光が入射し、先端が先細りのテーパ形状である光ファイバと、前記先端から出射される前記レーザ光が入射するプリズムと、を具備する血糖値測定装置である。テーパ形状の光ファイバから広がるレーザ光をプリズムに入射することができるため、測定精度が向上する。
（６）前記光源は量子カスケードレーザでもよい。これにより血糖値測定装置が低コスト、かつ小型になる。
（７）赤外分光法を用いる血糖値測定方法であって、被験者にプリズムを接触させるステップと、集光レンズおよび光ファイバを介して赤外領域のレーザ光を前記プリズムに入射するステップと、前記プリズムから出射される前記レーザ光を検出するステップと、を有する血糖値測定方法である。集光レンズを介さない場合に比べて広がったレーザ光をプリズムに入射することができるため、測定精度が向上する。
（８）赤外分光法を用いる血糖値測定方法であって、被験者にプリズムを接触させるステップと、集光レンズを介して赤外領域のレーザ光を前記プリズムに入射するステップと、前記プリズムから出射される前記レーザ光を検出するステップと、を有する血糖値測定方法である。集光レンズを介さない場合に比べて広がったレーザ光をプリズムに入射することができるため、測定精度が向上する。
（９）赤外分光法を用いる血糖値測定方法であって、被験者にプリズムを接触させるステップと、赤外領域のレーザ光を前記プリズムに入射するステップと、前記プリズムから出射される前記レーザ光を検出するステップと、を有し、前記プリズムの前記レーザ光を反射させる面への、前記レーザ光の入射角度の下限は臨界角＋３°である血糖値測定方法である。プリズム内での反射回数、および光の染み込み深さが増加し、かつ干渉が抑制される。このため測定精度が向上する。
（１０）赤外分光法を用いる血糖値測定方法であって、被験者にプリズムを接触させるステップと、光ファイバを介して赤外領域のレーザ光を前記プリズムに入射するステップと、前記プリズムから出射される前記レーザ光を検出するステップと、を有し、前記光ファイバの先端は先細りのテーパ形状である血糖値測定方法である。テーパ形状の光ファイバから広がるレーザ光をプリズムに入射することができるため、測定精度が向上する。
【００１７】
［本開示の実施形態の詳細］
本開示の実施形態に係る血糖値測定装置および血糖値測定方法の具体例を、以下に図面を参照しつつ説明する。なお、本開示はこれらの例示に限定されるものではなく、請求の範囲によって示され、請求の範囲と均等の意味および範囲内でのすべての変更が含まれることが意図される。
【実施例１】
【００１８】
（血糖値測定装置）
図１Ａは実施例１に係る血糖値測定装置１００を例示する模式図である。図１Ｂはレンズ２０およびプリズム３０付近の拡大図である。図１Ａに示すように、血糖値測定装置１００は、ＱＣＬ１０および１２、ミラー１４、レンズ２０、光ファイバ２２および２３、検出器２４、およびプリズム３０を備える。血糖値測定装置１００は、赤外分光法、より具体的には赤外減衰全反射法（ＡＴＲ法）により血糖値を測定する装置である。【００１９】
ＱＣＬ１０および１２は例えば中赤外領域の波長（４μｍ〜１０μｍ）で発振するレーザ光源である。ＱＣＬ１０および１２の出射光の波長は互いに異なる。出射光の波長のうち両方が例えばグルコースの吸収ピークの波長を中心として例えば±１０ｃｍ−１など所定の範囲内にあってもよい。また、一方が吸収ピークの波長を中心とした所定の範囲内で、他方が吸収ピークを中心とした範囲外でもよい。吸収ピークは例えば１１５５ｃｍ−１付近、１０８０ｃｍ−１付近、１０３５ｃｍ−１付近に位置する。レンズ２０は集光レンズであり、ＱＣＬ１０および１２から出射されるレーザ光を集光する。焦点距離は例えば８ｍｍである。【００２０】
光ファイバ２２の一端はレンズ２０に対向し、他端はプリズム３０の側面の１つに取り付けられ、例えば側面に密着する。光ファイバ２３の一端はプリズム３０の他の側面に取り付けられ、他端は検出器２４に取り付けられる。光ファイバ２２および２３は例えば直径２ｍｍの中空ファイバであり、赤外光を低損失で伝送することができる。検出器２４は例えばインジウム砒素アンチモン（ＩｎＡｓＳｂ）検出器である。【００２１】
プリズム３０は例えば台形状の減衰全反射プリズム（ＡＴＲプリズム）であり、硫化亜鉛（ＺｎＳ）などで形成されている。プリズム３０の２つの底面３１と底面３２とは対向している。プリズム３０の厚さ、すなわち底面間の距離は例えば２．４ｍｍである。底面３１の長さは例えば２４ｍｍであり、底面３２の長さは底面３１より小さい。【００２２】
レンズ２０に入射するレーザ光Ｌが平行光であれば、光ファイバ２２の一端とレンズ２０との間の距離はレンズ２０の焦点距離に等しいことが好ましく、例えば８ｍｍである。【００２３】
次に血糖値の測定について説明する。図１Ａに示すように被験者の口唇５０にプリズム３０を挟み、底面３１および３２に口唇５０を接触させる。ＱＣＬ１０および１２からレーザ光を出射する。ＱＣＬ１０の出射光はミラー１４を透過し、ＱＣＬ１２の出射光はミラー１４で反射する。図１Ｂに示すように、これらの光（レーザ光Ｌ）はレンズ２０で集光され、光ファイバ２２に入射し、光ファイバ２２内を伝搬して、プリズム３０に入射する。【００２４】
図１Ｃはプリズム３０の拡大図である。図１Ｃに示すように、レーザ光Ｌはプリズム３０の底面３１および３２で反射する。反射の際にプリズム３０とプリズム３０の外界との境界に生じるエバネッセント場がサンプル（被験者）に吸収される。より詳細には、被験者の間質液中のグルコースなどが赤外光を吸収する。吸収後の光はプリズム３０から出射され、図１Ａに示す光ファイバ２３を伝搬し、検出器２４に入射する。これにより取得される中赤外吸収スペクトルから血糖値の測定が可能である。【００２５】
なお、図１Ｃではプリズム３０内において５回の反射が起きているが、反射回数は５回未満または５回以上でもよい。感度向上のためには例えば９回など、５回以上の反射が生じることが好ましい。プリズム３０の底面３１および３２へのレーザ光Ｌの入射角θは、プリズム３０の底面の法線とレーザ光Ｌとのなす角であり、例えば４５°など臨界角以上の角度であることが好ましい。【００２６】
実施例１においては、図１Ｂに示すように、レーザ光Ｌをレンズ２０で集光して光ファイバ２２に入射する。これにより、レンズ２０を透過させない場合に比べ、レーザ光Ｌは広がった状態で光ファイバ２２から出射され、プリズム３０に入射する。このため血糖値の測定精度が向上する。以下では光の広がりについての実験について説明する。【００２７】
（実験）
図２Ａは実験を示す図である。図２Ａに示すように、レンズ２０、光ファイバ２２、および検出器２５を順に配置する。図２Ａでは不図示の光源（ＱＣＬ１０および１２）からレンズ２０にレーザ光Ｌを入射し、光ファイバ２２で伝送し、検出器２５に入射する。光ファイバ２２の直径は２ｍｍ、長さは１５ｃｍである。検出器２５は例えばインジウム砒素アンチモン（ＩｎＡｓＳｂ）で形成されている。この実験では、レンズ２０を用いない比較例１、実施例１において焦点距離が１６．５ｍｍのレンズ２０を用いる例、実施例１において焦点距離が５．９５ｍｍのレンズ２０を用いる例、それぞれにおいて光ファイバ２２と検出器２５との距離ｄを変えながら光強度を検出した。【００２８】
図２Ｂは光の強度を例示する図である。横軸は検出器２５の面内における位置を表し、縦軸は出射光の強度を表す。図２Ｂに示すように、検出器２５で検出される光の強度はガウス型のカーブを描く。検出器２５の光ファイバ２２と対向する面のうち、光ファイバ２２の正面の位置（面内位置が０）において強度はピークを示し、０から外れるほど低下する。破線で示す曲線Ｃ１に比べ、実線で示す曲線Ｃ２はピーク強度が低く、半値半幅（ＨＷＨＭ：half width at half maximum）が大きい。曲線Ｃ２のようにＨＷＨＭが大きいことは、光が広がっており、広い範囲で強い強度の光が得られることを示す。【００２９】
図２Ｃは半値幅と距離ｄとの関係を示す図である。横軸は光ファイバ２２と検出器２５との距離ｄを表し、縦軸はＨＷＨＭを表す。点線および四角は比較例１、破線および三角は焦点距離が１６．５ｍｍの例、実線および円は焦点距離が５．９５ｍｍの例を表す。レンズ２０を用いない比較例１では他の例に比べてＨＷＨＭが小さく、また距離ｄの増加に伴うＨＷＨＭの増加は検出されない。【００３０】
一方、レンズ２０を用いた実施例１では比較例１に比べＨＷＨＭが大きく、かつ距離ｄの増加に伴いＨＷＨＭも増加する。特に焦点距離が５．９５ｍｍの例では他の２つの例よりもＨＷＨＭがより大きくなった。このことから、焦点距離の小さいレンズ２０を用いることで光ファイバ２２からの出射光が広げられたことがわかる。具体的に、焦点距離が１６．５ｍｍの例では、光ファイバ２２の端部からの光の広がりが２．８°であり、焦点距離が５．９５ｍｍの例では広がりが８．４°である。【００３１】
実施例１によれば、レンズ２０で集光したレーザ光Ｌをプリズム３０に入射する。このため、レーザ光Ｌを広げた状態でプリズム３０に入射することができる。この結果、広い範囲にわたって高い強度が得られ、血糖分布の影響を抑制し、測定精度を向上させることが可能となる。【００３２】
図２Ｃに示すように、レンズ２０の焦点距離を短くすることで、光の広がりをより大きくすることができる。焦点距離は例えば２ｍｍ以上、２０ｍｍ以下であることが好ましい。【００３３】
図１Ａに示すように血糖値測定装置１００の光源はＱＣＬ１０および１２である。したがってＦＴＩＲを用いる装置に比べて低コスト、かつ小型であり、可搬性に優れる。また、光ファイバ２２および２３にプリズム３０が接続されている。光ファイバ２２および２３は、柔軟かつ赤外光を透過する中空ファイバであることが好ましい。これにより、プリズム３０を被験者の口唇に挟んだ状態で血糖値を測定することができる。口唇の角質層は皮膚に比べて薄いため、中赤外光が侵入しやすく、検出感度が向上する。なお、血糖値測定装置１００は光ファイバ２２および２３を有さなくてもよい。【００３４】
光源は２つの量子カスケードレーザＱＣＬ１０および１２としたが、例えば３つ以上のＱＣＬを用いてもよい。例えば複数の出射光の波数のうち２つはグルコースの吸収ピークに位置し、１つはグルコースの吸収ピークから外れた波数としてもよい。当該１つの波数をバックグラウンドとして利用することができる。【００３５】
（変形例１）
図３Ａは実施例１の変形例１における光源を例示する図である。図１ＡのＱＣＬ１０に代えて、図３Ａに示すレンズ付きのＣＡＮモジュール４０を用いることができる。ＣＡＮモジュール４０は、パッケージ４１、ＴＥＣ（Thermoelectric cooler）４２、サブマウント４４、キャップ４６、レンズ４８およびＱＣＬ１０を含む。パッケージ４１内にＴＥＣ４２が搭載され、ＴＥＣ４２上にサブマウント４４が搭載され、サブマウント４４上にＱＣＬ１０が搭載される。キャップ４６がパッケージ４１に取り付けられることで、パッケージ４１内は気密封止される。キャップ４６のＱＣＬ１０に対向する位置にレンズ４８が設けられている。【００３６】
パッケージ４１に設けられたリードピン４１ａを用いて、ＱＣＬ１０およびＴＥＣ４２に電気信号を入力および出力することができる。ＴＥＣ４２は例えばペルチェ素子を含み、温度調節を行う。レンズ４８はコリメートレンズまたは集光レンズである。図１ＡのＱＣＬ１２に代えて、ＱＣＬ１２を有するＣＡＮモジュール４０を用いることができる。レンズ４８が集光レンズである場合、集光された光が光ファイバ２２に入射する。したがって図１Ａに示すレンズ２０を設けなくてもよい。【００３７】
（変形例）
図３Ｂは実施例１の変形例２に係る血糖値測定装置を例示する図であり、レンズ２０およびプリズム３０の拡大図である。図３Ｂに示すように、レンズ２０で集光したレーザ光Ｌを、光ファイバを介さずにプリズム３０に入射する。レンズ２０とプリズム３０のレンズ２０側の側面との距離は、例えばレンズ２０の焦点距離以下であることが好ましい。変形例２によれば、実施例１と同様に、レーザ光Ｌを広げた状態でプリズム３０に入射することができる。この結果、広い範囲にわたって高い強度が得られ、血糖分布の影響を抑制し、測定精度を向上させることが可能となる。
【実施例２】
【００３８】
図４Ａは実施例２に係る血糖値測定装置２００を例示する模式図である。図４Ａに示すように、血糖値測定装置２００はレンズ２０を有さず、レーザ光Ｌはレンズ２０を介さずに光ファイバ２２に入射する。他の構成は実施例１と同じである。また、プリズム３０を被験者の口唇などに接触させ、ＱＣＬ１０および１２からレーザ光を入射し、検出器２４により赤外光を検出することで、血糖値を測定することも実施例１と同様である。【００３９】
図４Ｂはプリズム３０の拡大図である。底面３１および３２へのレーザ光Ｌの入射角θについて説明する。プリズム３０の屈折率をｎ１、プリズム３０に接するサンプル（人体などの生体組織）の屈折率をｎ２とする。プリズム３０とサンプルとの境界面における臨界角θｃは次式で与えられる。
θｃ＝ｓｉｎ−１（ｎ２／ｎ１）【００４０】
臨界角θｃの近傍ではエバネッセント場が急激に増大し、サンプルによる吸収が大きくなりすぎてＳ／Ｎ比が大きく低下する恐れがある。したがって、底面３１および３２への入射角θの下限を例えばθｃ＋３°とする。例えばプリズム３０がＺｎＳである場合、屈折率ｎ１は２．２である。測定対象である生体組織の屈折率ｎ２は１．２であり、臨界角θｃは３３°である。そこで入射角θの下限を例えばθｃ＋３°である３６°とし、上限を例えば４５°とする。【００４１】
実施例２によれば、入射角の下限をθｃ＋３°とする。これによりレーザ光Ｌの反射回数が増加し、かつ干渉が抑制される。したがって広い範囲において高い強度が得られ、血糖分布の影響を抑制し、精度の高い血糖値測定が可能である。また角度をつけてレーザ光を入射することで、エバネッセント場の染み込み深さが増加するため、強度が高くなり、測定精度が向上する。入射角の下限はθｃ＋３°より小さく、例えばθｃ＋４°、θｃ＋５°などでもよい。
【実施例３】
【００４２】
図５は実施例３における光ファイバ２２およびプリズム３０の拡大図である。図５に示すように、光ファイバ２２は先端部２２ａ、および直線部２２ｂを有する。直線部２２ｂの先端であって、プリズム３０に対向する位置に先端部２２ａが設けられている。先端部２２ａは、プリズム３０に向けて先細りのテーパ形状である。光ファイバ２２の先端部２２ａの端部の直径Ｒ１は例えば１．６ｍｍであり、直線部２２ｂの直径Ｒ２は例えば２ｍｍである。先端部２２ａの直線部２２ｂからの傾斜角ｋは例えば５°以上、１５°以下である。他の構成および血糖値の測定方法は実施例２と同じである。【００４３】
実施例３によれば、光ファイバ２２がテーパ形状の先端部２２ａを有するため、先端部２２ａからの出射光が広がり、プリズム３０に入射する。したがって血糖分布の影響を抑制し、測定精度を向上させることができる。
【実施例４】
【００４４】
実施例４は実施例１と実施例２とを組み合わせた例である。血糖値測定装置の構成は図１Ａと同様である。実施例４によれば、レンズ２０で集光させた光を、実施例２の入射角度でプリズム３０に入射させる。これにより精度高く血糖値を測定することができる。
【実施例５】
【００４５】
実施例５は実施例２と実施例３とを組み合わせた例である。血糖値測定装置の構成は図４Ａと同様であり、光ファイバ２２は図５に示す先端部２２ａを有する。実施例５によれば、光ファイバ２２の先端部２２ａから出射される光を、実施例２の入射角度でプリズム３０に入射させる。これにより精度高く血糖値を測定することができる。【００４６】
（実験）
実施例１〜５および比較例２において、プリズム３０への入射光の損失を測定した。比較例２は、レンズ２０およびテーパ形状の光ファイバ２２を用いず、かつ入射角が４５°の例である。【００４７】
図６Ａは実験に用いたサンプルを示す図である。図６Ａに示すように、プリズム３０の底面３１にテープ３４を張り付ける。プリズム３０の長さＬ１は２４ｍｍであり、テープ３４の長さＬ２は２ｍｍである。テープ３４をプリズム３０の一端に貼り、各例に対応する血糖値測定装置を用い、レーザ光Ｌを入射してテープ３４による吸収を測定する。その後、テープ３４を２ｍｍずらした位置に貼り、再び測定を行う。以上の手順をプリズム３０の他端まで繰り返す。テープ３４はフッ素樹脂で形成されたチューコーフロー（登録商標）テープである。光の波長は８．６８μｍである。実施例１および３、比較例２における入射角は４５°であり、実施例２、４および５における入射角は４０°である。実施例１および４におけるレンズ２０の焦点距離は６ｍｍである。実施例３および５における光ファイバ２２の先端部２２ａの角度ｋは１０°である。【００４８】
図６Ｂは損失の測定結果を示す図である。横軸はプリズム３０の底面３１の長さであり、縦軸は各例における平均値で規格化された光の損失である。上から示すＮｏ．１〜６は、それぞれ実施例１、実施例２、実施例３、実施例４、実施例５、比較例２に対応する。各例における一点鎖線は平均値であり、実線は損失である。プリズム３０の一端から他端までを１ｍｍごとに１２個の領域とし、領域ごとの損失を実線で表している。【００４９】
比較例２に対応するＮｏ．６に比べ、実施例１〜５に対応するＮｏ．１〜５においてばらつきが小さい。特にＮｏ．２〜４ではばらつきが小さくなる。表１に変動係数を示す。
【表１】
2020158348.tif 000003
表１に示すように、比較例２に対応するＮｏ．６の変動係数は０．３８７で、各例のうちで最大である。実施例１〜５（Ｎｏ．１〜５）の変動係数は比較例２より小さく、特に実施例４の変動係数は０．１５９でこの実験の中では最小である。以上のように、実施例１〜５によれば、ＱＣＬからプリズム３０への入射光を均一に近づけることができる。このため測定精度の向上が可能となる。
【符号の説明】
【００５０】
１０、１２          ＱＣＬ
２０、４８          レンズ
２２、２３          光ファイバ
２２ａ              先端部
２２ｂ              直線部
２４、２５          検出器
３０                プリズム
３１、３２          底面
３４                テープ
４１                パッケージ
４１ａ              リードピン
４２                ＴＥＣ
４４                サブマウント
４６                キャップ
５０                口唇
１００、２００      血糖値測定装置
【図１Ａ】
2020158348.tif 000004
【図１Ｂ】
2020158348.tif 000005
【図１Ｃ】
2020158348.tif 000006
【図２Ａ】
2020158348.tif 000007
【図２Ｂ】
2020158348.tif 000008
【図２Ｃ】
2020158348.tif 000009
【図３Ａ】
2020158348.tif 000010
【図３Ｂ】
2020158348.tif 000011
【図４Ａ】
2020158348.tif 000012
【図４Ｂ】
2020158348.tif 000013
【図５】
2020158348.tif 000014
【図６Ａ】
2020158348.tif 000015
【図６Ｂ】
2020158348.tif 000016
【手続補正書】
【提出日】令和3年7月7日(2021.7.7)
【手続補正１】
【補正対象書類名】明細書
【補正対象項目名】０００２
【補正方法】変更
【補正の内容】
【０００２】
非侵襲の血糖値測定方法として、赤外分光法を用いたものが知られている（特許文献１および２など）。特許文献１では１０２０〜１０４０ｃｍ−１の波数を有する赤外光を用い、特許文献２では近赤外光を用いる。
【手続補正２】
【補正対象書類名】明細書
【補正対象項目名】００１９
【補正方法】変更
【補正の内容】
【００１９】
ＱＣＬ１０および１２は例えば中赤外領域の波長（４μｍ〜１０μｍ）で発振するレーザ光源である。ＱＣＬ１０および１２の出射光の波長および波数（波長の逆数）は互いに異なる。出射光の波数のうち両方が例えばグルコースの吸収ピークの波数を中心として例えば±１０ｃｍ−１など所定の範囲内にあってもよい。また、一方が吸収ピークの波数を中心とした所定の範囲内で、他方が吸収ピークを中心とした範囲外でもよい。吸収ピークは例えば１１５５ｃｍ−１付近、１０８０ｃｍ−１付近、１０３５ｃｍ−１付近に位置する。レンズ２０は集光レンズであり、ＱＣＬ１０および１２から出射されるレーザ光を集光する。焦点距離は例えば８ｍｍである。
【手続補正３】
【補正対象書類名】明細書
【補正対象項目名】００３７
【補正方法】変更
【補正の内容】
【００３７】
（変形例２）
図３（ｂ）は実施例１の変形例２に係る血糖値測定装置を例示する図であり、レンズ２０およびプリズム３０の拡大図である。図３（ｂ）に示すように、レンズ２０で集光したレーザ光Ｌを、光ファイバを介さずにプリズム３０に入射する。レンズ２０とプリズム３０のレンズ２０側の側面との距離は、例えばレンズ２０の焦点距離以下であることが好ましい。変形例２によれば、実施例１と同様に、レーザ光Ｌを広げた状態でプリズム３０に入射することができる。この結果、広い範囲にわたって高い強度が得られ、血糖分布の影響を抑制し、測定精度を向上させることが可能となる。
【手続補正４】
【補正対象書類名】明細書
【補正対象項目名】００４１
【補正方法】変更
【補正の内容】
【００４１】
実施例２によれば、入射角の下限をθｃ＋３°とする。これによりレーザ光Ｌの反射回数が増加し、かつ干渉が抑制される。したがって広い範囲において高い強度が得られ、血糖分布の影響を抑制し、精度の高い血糖値測定が可能である。また角度をつけてレーザ光を入射することで、エバネッセント場の染み込み深さが増加するため、強度が高くなり、測定精度が向上する。入射角の下限はθｃ＋３°より大きく、例えばθｃ＋４°、θｃ＋５°などでもよい。
【手続補正５】
【補正対象書類名】明細書
【補正対象項目名】００４８
【補正方法】変更
【補正の内容】
【００４８】
図６（ｂ）は損失の測定結果を示す図である。横軸はプリズム３０の底面３１の長さであり、縦軸は各例における平均値で規格化された光の損失である。上から示すＮｏ．１〜６は、それぞれ実施例１、実施例２、実施例３、実施例４、実施例５、比較例２に対応する。各例における一点鎖線は平均値であり、実線は損失である。プリズム３０の一端から他端までを２ｍｍごとに１２個の領域とし、領域ごとの損失を実線で表している。
【国際調査報告】
2020158348.tif 000017
2020158348.tif 000018
2020158348.tif 000019
2020158348.tif 000020
2020158348.tif 000021